(57)【要約】【課題】きずを防止して美観が維持できるとともに、耐久性や動作安定性を確保しかつ面材のがたつきを防止することができるラッチ装置および建具を提供すること。【解決手段】非係止位置に移動操作されたラッチボルト４２がトリガ４５の係合部４５３に係合されて係止位置への移動が規制され、非係止位置にラッチボルト４２が保持されるので、下部障子３０を窓枠に押し込む際にラッチボルト４２の先端が縦枠１３や額縁２に擦ることがなく、これらの室内面にきずがつくのを防止して上げ下げ窓の美観が維持できる。そして、下部障子３０を窓枠の所定位置に押し込めば、トリガ４５の当接部４５２が縦枠１３に当接して係合部４５３の係合が外れるとともに、コイルばね４４の付勢力によりラッチボルト４２が係止位置に突出するため、手動操作しなくても自動的にラッチボルト４２で縦枠１３を係止することができる。【選択図】図５
2007231632.tif 000002
【特許請求の範囲】
【請求項１】
枠体に開閉可能に支持された面材を当該枠体に係止するとともに、係止を解除することで当該面材を開閉操作可能にするラッチ装置であって、
前記ラッチ装置は、前記面材に固定されるラッチ本体と、このラッチ本体に支持されて前記枠体を係止する係止位置と係止が外れる非係止位置との間を突没移動可能な係止部材と、前記ラッチ本体に対して前記係止部材を係止位置側に付勢する第１付勢手段と、前記面材から突出可能に前記ラッチ本体に支持されかつ突出位置にて前記係止部材に係合して当該係止部材の移動を規制する規制部材と、この規制部材を突出方向に付勢する第２付勢手段とを有して構成され、
前記規制部材は、前記面材から突出して前記枠体に当接可能な当接部と、前記係止部材に係合可能な係合部とを有して形成され、前記係止部材を非係止位置に移動操作して前記面材を開放操作した場合には、前記第２付勢手段の付勢力により前記当接部が前記面材から突出し、かつ前記係合部が当該係止部材に係合して係止位置への移動を規制し、前記面材を閉鎖操作した場合には、前記当接部が前記枠体に当接して前記面材内方に没入し、かつ前記係合部が前記係止部材から外れ、前記第１付勢手段の付勢力により係止位置に移動された当該係止部材で前記枠体を係止するラッチ装置。
【請求項２】
前記ラッチ装置の規制部材は、前記係止部材に沿って前記ラッチ本体に回動自在に支持され、この回動軸を挟んで一方側に前記当接部が形成され、他方側に前記係合部が形成され、
前記係止部材において、非係止位置まで没入した状態で前記規制部材の係合部に対応する位置には、当該係合部を受け入れて当該規制部材を回動させる被係合部が形成されている請求項１に記載のラッチ装置。
【請求項３】
前記ラッチ装置の規制部材は、前記係止部材の突没方向に交差する方向に沿って前記ラッチ本体にスライド自在に支持されかつ前記係止部材を挿通可能な挿通孔が形成された板材から構成され、この板材の一端部に前記当接部が形成され、前記挿通孔における前記当接部と反対側の端縁に前記係合部が形成され、
前記係止部材において、非係止位置まで没入した状態で前記規制部材の係合部に対応する位置には、当該係合部を受け入れて当該規制部材をスライドさせる被係合部が形成されている請求項１に記載のラッチ装置。
【請求項４】
上枠、下枠、および左右の縦枠を有する窓枠と、前記縦枠に案内されて上下スライド開閉自在に支持された少なくとも１枚の障子とを備え、この障子の上端部左右両端には、前記縦枠を係止して当該縦枠にスライド案内されるとともに、係止を解除することで当該障子を内倒し操作可能にするラッチ装置が設けられた建具であって、
前記ラッチ装置は、前記障子に固定されるラッチ本体と、このラッチ本体に支持されて前記縦枠を係止する係止位置と係止が外れる非係止位置との間を突没移動可能な係止部材と、前記ラッチ本体に対して前記係止部材を係止位置側に付勢する第１付勢手段と、前記障子の室外面よりも室外側に突出可能に前記ラッチ本体に支持されかつ突出位置にて前記係止部材に係合して当該係止部材の移動を規制する規制部材と、この規制部材を室外側に向かって付勢する第２付勢手段とを有して構成され、
前記規制部材は、前記障子の室外面よりも室外側に突出して前記縦枠に当接可能な当接部と、前記係止部材に係合可能な係合部とを有して形成され、前記係止部材を非係止位置に移動操作して前記障子を内倒し操作した場合には、前記第２付勢手段の付勢力により前記当接部が室外側に突出し、かつ前記係合部が当該係止部材に係合して係止位置への移動を規制し、前記障子を前記窓枠内のスライド位置に戻した場合には、前記当接部が前記縦枠に当接して室内側に没入し、かつ前記係合部が前記係止部材から外れ、前記第１付勢手段の付勢力により係止位置に移動された当該係止部材で前記縦枠が係止される建具。
【請求項５】
室外側の上部障子と室内側の下部障子とを備え、前記下部障子が上下スライド開閉自在かつ内倒し操作可能に構成されるとともに、この下部障子の上端部左右両端に前記ラッチ装置が設けられており、
前記上部障子および下部障子は、それぞれ上框、下框および左右の縦框と、これらの内部に嵌め込まれたパネルとを有して構成され、前記縦枠には、それぞれ見付け方向内側に向かって突出した上部突出部と下部突出部とが上下に連続して設けられ、前記上部突出部が前記上部障子の縦框の室内側側面と気密材を介して当接され、前記下部突出部が前記下部障子の縦框の室外側側面と気密材を介して当接され、
前記ラッチ装置における規制部材は、前記上部突出部の室内側側面に前記当接部が当接して前記係合部が前記係止部材から外れるように構成されている請求項４に記載の建具。
【発明の詳細な説明】
【技術分野】
【０００１】
本発明は、ラッチ装置および建具に関し、詳しくは、窓枠内に開閉可能に支持された面材を窓枠に係止するとともに、係止を解除することで面材を開閉操作可能にするラッチ装置、およびラッチ装置を備えた建具に関する。
【背景技術】
【０００２】
住宅等の外壁開口部に設けられる建具（サッシ窓）として、上下に開閉可能かつ内倒し可能な障子を有した上げ下げ窓が知られており（例えば、特許文献１参照）、この障子の上部には、縦枠を係止して見込み方向に移動不能かつ上下スライド可能に障子を支持するとともに、係止を解除することで障子を内倒し操作可能にするラッチ装置が設けられている。
特許文献１に記載されたラッチ装置は、障子に固定された摺動部材に支持されて縦枠に向かって突没自在に設けられたラッチ（係止部材）と、ラッチに結合されたつまみと、摺動部材内部に設けられてラッチを突出させるばねとを有して構成され、つまみを操作してばねの付勢力に抗してラッチを障子の上框側に没入させることで縦枠との係止が解除できるようになっている。そして、ラッチの先端部室外側側面には、傾斜面が形成されており、内倒し開放した障子を閉じる際に、傾斜面が縦枠の室内側端縁や額縁に当接することでばねの付勢力に抗してラッチが没入するとともに、窓枠の所定の見込み位置まで障子を押し込むとラッチが突出して縦枠を係止可能に構成されている。
【０００３】
一方、前述のラッチ装置と類似した装置として、家具等に設けられた開閉可能な扉（面材）を閉鎖位置で固定する固定装置が提案されている（例えば、特許文献２参照）。
特許文献２に記載された扉の固定装置は、扉に装着した固定具と、家具本体（枠）に装着した受け具とを有して構成されている。固定具は、挿通孔を有した筐体と、筐体内部に設けられて先端が挿通孔から突出可能に支持された固定部材（固定杆）と、この固定部材の基端部に連結されて固定部材を突出方向に付勢するばねと、固定部材を没入操作するための操作部（操作子）と、筐体を受け具側に貫通して固定部材の先端部に当接可能なストッパとを有し、受け具は、固定部材の先端部と係合可能な係合孔と、ストッパと当接可能な当接片（当たり片）とを有して構成されている。そして、操作部の操作により筐体内に没入された固定部材は、突没方向に対して偏心したばねによって先端が挿通孔からずれ、このずれた先端がストッパを突出させつつ挿通孔近傍の筐体に係止されることで、受け具の係合孔と固定部材との係合が外れて扉が開放可能になっている。また、開放された扉を閉じれば、受け具の当接片にストッパが当接し、このストッパに押圧された固定部材の先端が挿通孔から突出するとともに係合孔に係合することで、閉鎖状態で扉を固定できるようになっている。
【０００４】
【特許文献１】特開２００３−３２８６５５号公報
【特許文献２】実公昭５８−２１８８２号公報
【発明の開示】
【発明が解決しようとする課題】
【０００５】
しかしながら、前記特許文献１に記載されたような従来のラッチ装置では、内倒した障子を閉じる際に、傾斜面が縦枠に擦ってラッチが没入するようになっているため、縦枠の室内面や額縁にきずが付くことがあり、建具の美観上好ましくないという問題がある。
また、前記特許文献２に記載されたような従来の固定装置では、固定部材の突没方向に対して偏心したばねで固定部材の先端を挿通孔からずらして筐体に係止するようになっているため、固定部材には突没方向と交差した方向（家具の内方）への付勢力が常に作用することとなり、固定部材と筐体の挿通孔との間に摩擦力が生じることによって、各部材が摩耗して耐久性が劣ってしまったり、突没移動中に固定部材が引っ掛かって動作の安定性が低下してしまったりするという問題がある。さらに、受け具の当接片にストッパを当接させて固定部材の先端を挿通孔側に移動させる際にも、固定部材が引っ掛かる可能性があり、固定部材が筐体から突出しなくなって受け具と係合不能になる可能性もある。また、受け具と係合した状態においても固定部材が家具の内方に付勢されていることで、扉の開き方向に関して固定部材の先端と受け具の係合孔との間に隙間が生じ、固定状態の扉が家具本体に対してがたついてしまうという問題もある。
【０００６】
本発明の目的は、きずを防止して美観が維持できるとともに、耐久性や動作安定性を確保しかつ面材のがたつきを防止することができるラッチ装置および建具を提供することにある。
【課題を解決するための手段】
【０００７】
本発明のラッチ装置は、枠体に開閉可能に支持された面材を当該枠体に係止するとともに、係止を解除することで当該面材を開閉操作可能にするラッチ装置であって、前記ラッチ装置は、前記面材に固定されるラッチ本体と、このラッチ本体に支持されて前記枠体を係止する係止位置と係止が外れる非係止位置との間を突没移動可能な係止部材と、前記ラッチ本体に対して前記係止部材を係止位置側に付勢する第１付勢手段と、前記面材から突出可能に前記ラッチ本体に支持されかつ突出位置にて前記係止部材に係合して当該係止部材の移動を規制する規制部材と、この規制部材を突出方向に付勢する第２付勢手段とを有して構成され、前記規制部材は、前記面材から突出して前記枠体に当接可能な当接部と、前記係止部材に係合可能な係合部とを有して形成され、前記係止部材を非係止位置に移動操作して前記面材を開放操作した場合には、前記第２付勢手段の付勢力により前記当接部が前記面材から突出し、かつ前記係合部が当該係止部材に係合して係止位置への移動を規制し、前記面材を閉鎖操作した場合には、前記当接部が前記枠体に当接して前記面材内方に没入し、かつ前記係合部が前記係止部材から外れ、前記第１付勢手段の付勢力により係止位置に移動された当該係止部材で前記枠体を係止することを特徴とする。
【０００８】
ここで、開閉可能な面材としては、障子や戸であり、枠体（窓枠や開口枠、ドア枠等）にスライド自在に支持された引違いや片引き形式、あるいは上げ下げ形式のものでもよく、また枠体に回動自在に支持された開き形式や突き出し形式、縦（または横）辷り出し形式、内（または外）倒し形式のものでもよい。
【０００９】
以上の本発明によれば、面材を開放操作する際に、非係止位置に移動操作された係止部材を規制部材の係合部で係合し、係止位置への移動を規制して係止部材を非係止位置に維持させることで、面材を閉鎖操作する際に、係止部材が枠体や額縁に擦ることがなく、これらの室内面にきずがつくのを防止でき、建具の美観を維持することができる。そして、面材を閉鎖すれば当接部が枠体に当接して係合部が係止部材から外れるとともに、第１付勢手段の付勢力により係止部材が係止位置に移動されるため、手動操作しなくても自動的に係止部材で枠体を係止することができる。
また、ラッチ本体に突没移動可能に支持された係止部材と、この係止部材に係合して移動を規制する規制部材とを設けたことで、非係止位置における係止部材を付勢して突没方向と交差する方向にずらしてラッチ本体等に係止させる必要がなくなり、係止部材が突没移動中に引っ掛かったり、ラッチ本体との間に大きな摩擦力が生じたりすることが防止でき、耐久性や動作安定性を確保することができる。さらに、係止部材を突没方向のみに移動可能にラッチ本体で案内すればよいので、枠体との係止部分に余分なクリアランスを設けておく必要がなくなり、係止部材と枠体との係止精度を高めることができ、係止された面材のがたつきを防止することができる。
【００１０】
この際、本発明のラッチ装置では、前記ラッチ装置の規制部材は、前記係止部材に沿って前記ラッチ本体に回動自在に支持され、この回動軸を挟んで一方側に前記当接部が形成され、他方側に前記係合部が形成され、前記係止部材において、非係止位置まで没入した状態で前記規制部材の係合部に対応する位置には、当該係合部を受け入れて当該規制部材を回動させる被係合部が形成されていることが好ましい。
また、本発明のラッチ装置では、前記ラッチ装置の規制部材は、前記係止部材の突没方向に交差する方向に沿って前記ラッチ本体にスライド自在に支持されかつ前記係止部材を挿通可能な挿通孔が形成された板材から構成され、この板材の一端部に前記当接部が形成され、前記挿通孔における前記当接部と反対側の端縁に前記係合部が形成され、前記係止部材において、非係止位置まで没入した状態で前記規制部材の係合部に対応する位置には、当該係合部を受け入れて当該規制部材をスライドさせる被係合部が形成されていてもよい。
【００１１】
このような構成によれば、規制部材を回動自在に支持するかまたは規制部材をスライド自在に支持するかのいずれかの構成を、ラッチ装置の取付条件に応じて適宜選択することができる。
そして、規制部材を回動自在に支持する構成を採用した場合には、回動軸を挟んで一端側および他端側に当接部および係合部が互いに離れて形成されるので、例えば、係止部材の突出方向先端側に当接部を設け、係止部材の基端側に係合部を設けるようにすれば、係止部材の先端側である枠体との係止位置に近い部分に当接部を位置させることができる。また、規制部材の係合部に対応してラッチ本体の内部に入り込んだ位置に係止部材の被係合部を形成すれば、外部からの衝撃を受けにくい位置にて係合部と被係合部とを係合させることができるので、意図せずに係合が外れてしまうことを防止して動作安定性の向上を図ることができる。
また、規制部材をスライド自在に支持する構成を採用した場合には、このスライド方向が係止部材の突没方向に交差しているので、係止部材の突没方向に沿った規制部材の部材寸法（幅寸法）を小さくすることができ、当接部が当接する枠体の形態に応じて規制部材の設置位置（係止部材の突没方向に沿った設置位置）を適宜設定することができる。また、係止部材の突没方向に対する規制部材のスライド方向の交差角度が任意に設定可能であり、枠体の形態や面材の開閉方向に応じて規制部材のスライド方向を適宜設定することで、規制部材の当接部と枠体とを適切な角度で当接させることができる。
【００１２】
一方、本発明の建具は、上枠、下枠、および左右の縦枠を有する窓枠と、前記縦枠に案内されて上下スライド開閉自在に支持された少なくとも１枚の障子とを備え、この障子の上端部左右両端には、前記縦枠を係止して当該縦枠にスライド案内されるとともに、係止を解除することで当該障子を内倒し操作可能にするラッチ装置が設けられた建具であって、前記ラッチ装置は、前記障子に固定されるラッチ本体と、このラッチ本体に支持されて前記縦枠を係止する係止位置と係止が外れる非係止位置との間を突没移動可能な係止部材と、前記ラッチ本体に対して前記係止部材を係止位置側に付勢する第１付勢手段と、前記障子の室外面よりも室外側に突出可能に前記ラッチ本体に支持されかつ突出位置にて前記係止部材に係合して当該係止部材の移動を規制する規制部材と、この規制部材を室外側に向かって付勢する第２付勢手段とを有して構成され、前記規制部材は、前記障子の室外面よりも室外側に突出して前記縦枠に当接可能な当接部と、前記係止部材に係合可能な係合部とを有して形成され、前記係止部材を非係止位置に移動操作して前記障子を内倒し操作した場合には、前記第２付勢手段の付勢力により前記当接部が室外側に突出し、かつ前記係合部が当該係止部材に係合して係止位置への移動を規制し、前記障子を前記窓枠内のスライド位置に戻した場合には、前記当接部が前記縦枠に当接して室内側に没入し、かつ前記係合部が前記係止部材から外れ、前記第１付勢手段の付勢力により係止位置に移動された当該係止部材で前記縦枠が係止されることを特徴とする。
【００１３】
以上の本発明によれば、障子が上下に開閉可能かつ内倒し可能な上げ下げ窓において、ラッチ装置の係止部材が縦枠や額縁に擦ることがなく、きずが防止できて建具の美観を維持することができる。さらに、前述のラッチ装置と同様に、係止部材が突没移動中に引っ掛かったり、ラッチ本体との間に大きな摩擦力が生じたりすることが防止でき、耐久性や動作安定性を確保することができるとともに、縦枠に係止された障子のがたつきを防止することができる。
【００１４】
この際、本発明の建具では、室外側の上部障子と室内側の下部障子とを備え、前記下部障子が上下スライド開閉自在かつ内倒し操作可能に構成されるとともに、この下部障子の上端部左右両端に前記ラッチ装置が設けられており、前記上部障子および下部障子は、それぞれ上框、下框および左右の縦框と、これらの内部に嵌め込まれたパネルとを有して構成され、前記縦枠には、それぞれ見付け方向内側に向かって突出した上部突出部と下部突出部とが上下に連続して設けられ、前記上部突出部が前記上部障子の縦框の室内側側面と気密材を介して当接され、前記下部突出部が前記下部障子の縦框の室外側側面と気密材を介して当接され、前記ラッチ装置における規制部材は、前記上部突出部の室内側側面に前記当接部が当接して前記係合部が前記係止部材から外れるように構成されていることが好ましい。
【００１５】
このような構成によれば、内倒し可能な下部障子に設けたラッチ装置における規制部材の当接部が、上部障子の縦框と気密材を介して当接する縦枠の上部突出部、つまり上下に連続して延びる上部突出部に当接するように構成したので、内倒しされた下部障子を窓枠内に戻す操作の際に、特定の高さ位置に当接部が位置するように操作しなくても、適宜な高さ位置で障子を窓枠に押し込むだけで、当接部と上部突出部とを確実に当接させて係止部材に縦枠を係止させることができ、操作性を向上させることができる。そして、上部障子の気密ラインを構成する上部突出部に当接部を当接させることで、別途に被当接部を縦枠に設ける必要がなくなり、部品点数の増加を防止できるとともに、建具の外観を良好にすることができる。また、規制部材の当接部が下部障子の室外側に突出するように構成されているので、内倒し時に利用者が当接部に触れにくくでき、意図せずに当接部を押して係止部材を突出させてしまう誤操作が防止できる。
【発明を実施するための最良の形態】
【００１６】
以下、本発明の実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを省略する場合がある。
【００１７】
〔第１実施形態〕
図１は、本発明の第１実施形態に係る建具である上げ下げ窓１を示す縦断面図である。図２は、上げ下げ窓１を示す横断面図である。図３は、上げ下げ窓１の動作を示す斜視図である。図４は、上げ下げ窓１の下部障子３０に設けられたラッチ装置４０を示す斜視図である。図５(Ａ)，(Ｂ)は、ラッチ装置４０の動作を示す横断面図である。
図１、図２において、上げ下げ窓１は、戸建て住宅等の建物の外壁開口部に設けられるものであって、外壁開口部に固定される枠体としての窓枠１０と、この窓枠１０の内側に上下スライド開閉自在に支持された面材としての上部障子２０（室外障子）および下部障子３０（室内障子）と、上部障子２０の室内側に設けられた網戸２５とを備えて構成された、いわゆるダブルハングの上げ下げ窓である。
【００１８】
窓枠１０は、上枠１１、下枠１２、および左右の縦枠１３を四周枠組みして形成されており、上枠１１および縦枠１３の室内側には、三方に連続した額縁２が設けられ、下枠１２の室内側には、窓台３が額縁２に連続して設けられている。また、縦枠１３には、上部障子２０および下部障子３０を各々案内する案内溝１３１，１３２が設けられ、上枠１１には、上部障子２０を上下に電動駆動する駆動装置１１１が設けられ、上枠１１または縦枠１３には、下部障子３０を上方に付勢する図示しないバランサが設けられている。上部障子２０および下部障子３０は、それぞれ上框２１，３１、下框２２，３２、および左右の縦框２３，３３を四周框組みした内部に、ガラスパネル２４，３４を嵌め込んで構成されている。
【００１９】
また、縦枠１３における見込み方向中間位置には、図２の左側に示すように、閉鎖位置にある上部障子２０の縦框２３の室内側に沿った上部突出部１３３と、図２の右側に示すように、閉鎖位置にある下部障子３０の縦框３３の室外側に沿った下部突出部１３４とが設けられている。これらの上部突出部１３３と下部突出部１３４とは、召合せ部の気密部材である風止板（不図示）を介して上下に連続して設けられており、上部突出部１３３は、上部障子２０の縦框２３に設けられた気密材であるＡＴ材２３１と当接することで気密ラインを形成し、下部突出部１３４は、下部障子３０の縦框３３に設けられた気密材であるＡＴ材３３１と当接することで気密ラインを形成するようになっている。また、上部突出部１３３と下部突出部１３４とは、同一の断面を有して形成されているとともに、互いに室内外逆向き形状となるように縦枠１３に取り付けられている。
【００２０】
上部障子２０は、案内溝１３１に案内されるとともに、チェーン等を介して駆動装置１１１に連結されて駆動されることで、上下に開閉可能に構成されるとともに、図示しない施錠装置によって閉鎖位置と所定量だけ開放した位置との両位置で施錠可能になっている。
下部障子３０は、下框３２および縦框３３の下端部に設けられたスライドシュー（不図示）が案内溝１３２に案内されるとともに、これらのスライドシューが直接またはワイヤ等を介してバランサに連結されることで当該下部障子３０の重量が相殺され、小さな力で開閉操作可能に構成されるとともに、下框３２に設けられた施錠装置３２１が下枠１２の錠受けに係合することによって閉鎖位置で施錠可能になっている。
【００２１】
また、下部障子３０は、スライドシューに回動自在に支持されており、図３に示すように、下部障子３０の下端部を中心にして室内側に回動可能（内倒し可能）に構成されている。そして、下部障子３０の上部かつ左右両端部には、ラッチ装置４０が設けられており、これらのラッチ装置４０は、下部障子３０の通常開閉状態においては縦枠１３の案内溝１３２を係止してスライド案内され、この係止を外すことで下部障子３０を内倒し可能にするものである。下部障子３０の内倒し操作を具体的に説明すると、図１に示す閉鎖位置から下框３２の把手３２２を操作して施錠装置３２１を解錠するとともに、下部障子３０を若干上方に開放操作して下框３２が下枠１２から外れた状態において、ラッチ装置４０による縦枠１３の係止を解除することで下部障子３０が内倒し操作可能になる。そして、内倒しした状態において、縦枠１３と連結された図示しないアーム部材や、スライドシューに設けられたロック部材等によって下部障子３０が支持されるようになっている。また、内倒しした状態から下部障子３０の上部を室外側に回動操作して窓枠１０内のスライド開閉位置まで押し込むことで、ラッチ装置４０が縦枠１３の案内溝１３２に取り付けられた案内部材１３５（図５参照）を自動的に係止し、下部障子３０が上下スライド開閉自在に支持されるようになっている。
【００２２】
ラッチ装置４０は、図４および図５に示すように、下部障子３０の上框３１および縦框３３に固定されるラッチ本体４１と、このラッチ本体４１に突没スライド可能に支持された係止部材としてのラッチボルト４２と、このラッチボルト４２を没入操作するための操作つまみ４３とを有して構成されている。ラッチボルト４２は、図５(Ａ)に示すように、ラッチ本体４１から突出して案内部材１３５を係止する係止位置と、図５(Ｂ)に示すように、ラッチ本体４１に没入して案内部材１３５との係止が外れる非係止位置との間を突没移動自在に構成されており、このラッチボルト４２には、非係止位置にて後述するトリガ４５の係合部４５３に係合される被係合部としての切欠き４２１が設けられている。そして、ラッチ本体４１の内部には、ラッチボルト４２を係止位置側に付勢する第１付勢手段としてのコイルばね４４と、非係止位置にあるラッチボルト４２に係合してラッチボルト４２の突出移動を規制する規制部材としてのトリガ４５と、このトリガ４５を付勢する第２付勢手段としての板ばね４６とが設けられている。
【００２３】
トリガ４５は、ラッチボルト４２の室外側に沿ってラッチ本体４１に回動自在に回動軸４５１で支持され、この回動軸４５１を挟んで一方側であるラッチボルト４２の突出方向先端側に設けられた当接部４５２と、回動軸４５１を挟んで他方側であるラッチボルト４２の基端側に設けられた係合部４５３とを有して形成されている。そして、トリガ４５は、当接部４５２が下部障子３０から室外側に突出する方向に板ばね４６で付勢されており、図５(Ａ)に示すように下部障子３０が窓枠１０内のスライド開閉位置にある場合において、当接部４５２は、縦枠１３の上部突出部１３３の室内面である傾斜面１３３Ａに当接して押圧され、板ばね４６の付勢力に抗してラッチ本体４１内に没入されている。
【００２４】
また、図５(Ｂ)に示すように、操作つまみ４３を操作してラッチボルト４２を没入させて下部障子３０を内倒し操作した場合には、非係止位置まで没入されたラッチボルト４２の切欠き４２１が係合部４５３の位置まで移動し、板ばね４６の付勢力でトリガ４５が回動して係合部４５３が切欠き４２１に入り込むとともに、当接部４５２が室外側に突出するようになっている。そして、室内側に移動された係合部４５３が切欠き４２１に係合することで、ラッチボルト４２の突出移動が規制され、ラッチボルト４２が非係止位置に保持されるようになっている。
【００２５】
一方、下部障子３０を窓枠１０内のスライド開閉位置まで押し込んだ場合には、トリガ４５の当接部４５２が上部突出部１３３の傾斜面１３３Ａに当接し、板ばね４６の付勢力に抗してトリガ４５が回動して当接部４５２がラッチ本体４１内に没入するとともに、係合部４５３と切欠き４２１との係合が外れるようになっている。このように係合部４５３との係合が外れることで、コイルばね４４の付勢力でラッチボルト４２が係止位置に突出され、突出したラッチボルト４２が縦枠１３の案内部材１３５を係止することとなる。これにより、ラッチボルト４２が案内部材１３５に案内されて下部障子３０が上下スライド開閉可能に支持されるようになっている。
【００２６】
このような本実施形態によれば、以下のような効果がある。
（１）すなわち、下部障子３０を内倒し操作する際に、非係止位置に移動操作されたラッチボルト４２がトリガ４５の係合部４５３に係合されて係止位置への移動が規制され、非係止位置にラッチボルト４２が保持されるので、下部障子３０を窓枠１０内のスライド開閉位置まで押し込む際に、ラッチボルト４２の先端が縦枠１３や額縁２に擦ることがなく、これらの室内面にきずがつくのを防止して上げ下げ窓１の美観が維持できる。そして、下部障子３０をスライド開閉位置まで押し込めば、トリガ４５の当接部４５２が縦枠１３の上部突出部１３３に当接して係合部４５３の係合が外れるとともに、コイルばね４４の付勢力によりラッチボルト４２が係止位置に突出するため、手動操作しなくても自動的にラッチボルト４２で縦枠１３の案内部材１３５を係止することができる。
【００２７】
（２）また、ラッチ装置４０がラッチボルト４２に係合するトリガ４５を有して構成されているので、ラッチボルト４２が突没方向に直線移動するようにラッチ本体４１に支持されていればよく、ラッチボルト４２が突没移動中に引っ掛かったり、ラッチ本体４１との間に大きな摩擦力が生じたりすることが防止でき、ラッチ装置４０の耐久性や動作安定性を確保することができる。さらに、ラッチボルト４２が突没方向に直線移動するようにラッチ本体４１で案内すればよいので、縦枠１３の案内部材１３５に余分なクリアランスを設けておく必要がなくなり、ラッチボルト４２と案内部材１３５との係止精度を高めて下部障子３０のがたつきが防止できる。
【００２８】
（３）また、上部障子２０における縦框２３のＡＴ材２３１に当接して気密ラインを構成する縦枠１３の上部突出部１３３にラッチ装置４０におけるトリガ４５の当接部４５２が当接するように構成したので、内倒しされた下部障子３０を窓枠１０内のスライド開閉位置まで押し込む際に、特定の高さ位置に当接部４５２が位置するように操作しなくても、適宜な高さ位置で下部障子３０を押し込むだけで、当接部４５２と上部突出部１３３とを確実に当接させることができ、内倒し復帰操作の操作性を向上させることができる。そして、上部障子２０の気密ラインを構成する上部突出部１３３に当接部４５２を当接させることで、当接部４５２を当接させるための被当接部を別途に縦枠１３に設ける必要がなくなり、部品点数の増加を防止できるとともに、上げ下げ窓１の外観を良好にすることができる。
【００２９】
（４）さらに、ラッチ装置４０のトリガ４５がラッチ本体４１に回動自在に支持されるとともに、回動軸４５１を挟んでラッチボルト４２の先端側に当接部４５２が形成され、ラッチボルト４２の基端側に係合部４５３が形成されているので、ラッチボルト４２と縦枠１３の案内部材１３５との係止位置に近い部分に当接部４５２を位置させることができるとともに、外部からの衝撃を受けにくいラッチ本体４１の内部に入り込んだ位置でラッチボルト４２の切欠き４２１に係合部４５３を係合させることができ、意図せずに係合が外れてしまうことを防止してラッチ装置４０の動作安定性を向上させることができる。また、トリガ４５の当接部４５２が下部障子３０の室外側に突出するように構成されているので、内倒し時に利用者が当接部４５２に触れにくくでき、不意に当接部４５２を押してラッチボルト４２を突出させてしまう誤操作が防止できる。
【００３０】
〔第２実施形態〕
次に、本発明の第２実施形態に係る建具におけるラッチ装置５０について図６に基づいて説明する。
図６(Ａ)，(Ｂ)は、第２実施形態の建具におけるラッチ装置５０の動作を示す横断面図である。
ラッチ装置５０は、前記第１実施形態のラッチ装置４０と規制部材の構成が相違し、他の構成は略同様である。すなわち、ラッチ装置５０は、下部障子３０の上框３１および縦框３３に固定されるラッチ本体５１と、このラッチ本体５１に突没スライド可能に支持された係止部材としてのラッチボルト５２と、このラッチボルト５２を付勢する第１付勢手段としてのコイルばね５４と、非係止位置にあるラッチボルト５２に係合してラッチボルト５２の突出移動を規制する規制部材としてのトリガ５５と、このトリガ５５を付勢する第２付勢手段としてのコイルばね５６とを有して構成されている。
【００３１】
ラッチボルト５２は、図６(Ａ)に示すように、ラッチ本体５１から突出して縦枠１３を係止する係止位置と、図６(Ｂ)に示すように、ラッチ本体５１に没入して縦枠１３との係止が外れる非係止位置との間を突没移動自在に構成されており、このラッチボルト５２には、非係止位置にて後述するトリガ５５の係合部５５３に係合される被係合部としての切欠き５２１が設けられている。トリガ５５は、ラッチボルト５２の突没方向に交差する方向である室内外方向に沿ってラッチ本体５１にスライド自在に支持された板材から構成されている。そして、トリガ５５には、ラッチボルト５２を挿通可能な挿通孔５５１と、一端部である室外側端部に設けられた当接部５５２と、挿通孔５５１における当接部５５２と反対側の端縁である室内側端縁に設けられた係合部５５３とが形成されている。
【００３２】
トリガ５５は、当接部５５２が下部障子３０から室外側に突出する方向にコイルばね５６で付勢されており、図６(Ａ)に示すように下部障子３０が窓枠１０内のスライド開閉位置にある場合において、当接部５５２は、縦枠１３の上部突出部１３３の室内面に当接して押圧され、コイルばね５６の付勢力に抗してラッチ本体５１内に没入されている。また、図６(Ｂ)に示すように、ラッチボルト５２を没入させて下部障子３０を内倒し操作した場合には、非係止位置まで没入されたラッチボルト５２の切欠き５２１が係合部５５３の位置まで移動し、コイルばね５６の付勢力でトリガ５５が室外側にスライドして係合部５５３が切欠き５２１に入り込んで係合するとともに、当接部５５２が室外側に突出するようになっている。そして、係合部５５３が切欠き５２１に係合することで、ラッチボルト５２の突出移動が規制され、ラッチボルト５２が非係止位置に保持されるようになっている。
【００３３】
一方、下部障子３０を窓枠１０内のスライド開閉位置まで押し込んだ場合には、トリガ５５の当接部５５２が上部突出部１３３に当接し、コイルばね５６の付勢力に抗してトリガ５５が室内側にスライドして当接部５５２がラッチ本体５１内に没入するとともに、係合部５５３と切欠き５２１との係合が外れるようになっている。このように係合部５５３との係合が外れることで、コイルばね５４の付勢力でラッチボルト５２が係止位置に突出され、突出したラッチボルト５２が縦枠１３を係止することとなる。これにより、ラッチボルト５２が縦枠１３に案内されて下部障子３０が上下スライド開閉可能に支持されるようになっている。
【００３４】
このような本実施形態によれば、前記（１）〜（３）の効果と略同様の効果に加えて以下の効果が得られる。
（５）すなわち、ラッチ装置５０のトリガ５５がラッチ本体４１にスライド自在に支持された板材から構成され、このスライド方向がラッチボルト５２の突没方向に交差しているので、ラッチボルト５２の突没方向に沿ったトリガ５５の部材寸法（幅寸法）を小さくするとともに、トリガ５５の当接部５５２を突出させる位置の自由度を高めることができる。また、トリガ５５の当接部５５２が下部障子３０の室外側に突出するように構成されているので、内倒し時に利用者が当接部５５２に触れにくくでき、不意に当接部５５２を押してラッチボルト５２を突出させてしまう誤操作が防止できる。
【００３５】
なお、本発明は、前記実施形態に限定されるものではなく、本発明の目的を達成できる他の構成等を含み、以下に示すような変形等も本発明に含まれる。
例えば、前記実施形態においては、建具として上げ下げ窓１を例示して説明したが、本発明の建具は、上げ下げ窓１に限らず、引違い窓や片引き窓等の左右にスライド開放可能な障子を有した窓であってもよく、開き窓や突き出し窓、縦（または横）辷り出し窓、内（または外）倒し窓等の回動（スウィング）開閉可能な障子を有した窓であってもよい。さらに、本発明の建具は、窓に限らず、引違い戸や片引き戸、ドア等の建物や部屋の出入り口を構成するものであってもよい。また、本発明のラッチ装置は、前述のような建具に設けられるものに限らず、家具や倉庫等の開閉装置に設けられてもよい。
また、前記実施形態では、上げ下げ窓１が上下一対の２枚の可動障子（上部障子２０および下部障子３０）を有して構成されていたが、これに限らず、少なくとも１枚の可動障子と固定障子（あるいは、嵌め殺し面材）とを有して構成されていてもよく、３枚以上の可動障子を有して構成されていてもよい。１枚の可動障子を有して構成されたものとしては、いわゆるシングルハングの上げ下げ窓が例示できる。
【００３６】
また、前記実施形態では、ラッチ装置４０，５０におけるラッチボルト４２，５２の被係合部として、ラッチボルト４２，５２を切り欠いて形成した切欠き４２１，５２１を採用したが、これに限らず、被係合部は、ラッチボルト４２，５２の一部を段付き状に形成した段付き部や、ラッチボルト４２，５２の一部を突没方向に交差して突出させた突出部で構成されていてもよい。
また、ラッチ装置４０，５０の規制部材であるトリガ４５，５５としては、下部障子３０から室外側に突出可能な当接部４５２，５５２を有したものに限らず、縦枠１３側、すなわち係止部材の突出方向と同一方向に突出可能な当接部や、係止部材の突没方向に対して所定の交差角度で突出する当接部を有し、これらの突出方向に向かって第２付勢手段で付勢されたものであってもよい。例えば、前記第２実施形態では、ラッチボルト５２の突没方向と直交する室内外方向（見込み方向）にスライド自在にトリガ５５が設けられていたが、このトリガ５５が見込み方向に傾斜した方向にスライド自在に設けられていてもよい。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本発明の第１実施形態に係る建具を示す縦断面図である。
【図２】前記建具を示す横断面図である。
【図３】前記建具の動作を示す斜視図である。
【図４】前記建具の下部障子に設けられたラッチ装置を示す斜視図である。
【図５】(Ａ)，(Ｂ)は、前記ラッチ装置の動作を示す横断面図である。
【図６】本発明の第２実施形態に係る建具におけるラッチ装置の動作を示す横断面図である。
【符号の説明】
【００３９】
１０…枠体である窓枠、１１…上枠、１２…下枠、１３…縦枠、２０…上部障子、３０…下部障子（面材）、２１，３１…上框、２２，３２…下框、２３，３３…縦框、２４，３４…パネルであるガラスパネル、４０，５０…ラッチ装置、４１，５１…ラッチ本体、４２，５２…係止部材であるラッチボルト、４４，５４…第１付勢手段であるコイルばね、４５，５５…規制部材であるトリガ、４６…第２付勢手段である板ばね、５６…第２付勢手段であるコイルばね、１３３…上部突出部、１３４…下部突出部、２３１，３３１…気密材であるＡＴ材、４２１，５２１…被係合部である切欠き、４５１…回動軸、４５２，５５２…当接部、４５３，５５３…係合部、５５１…挿通孔。
【図１】
2007231632.tif 000003
【図２】
2007231632.tif 000004
【図３】
2007231632.tif 000005
【図４】
2007231632.tif 000006
【図５】
2007231632.tif 000007
【図６】
2007231632.tif 000008